(57)【要約】  吸入デバイス（１）用の計量要素（３３）が提供される。計量要素は、物質（２）を受けるように構成された複数の開口部（１０）を含み、開口部（１０）の少なくとも１つは、少なくとも１つの他の開口部（１０）と異なる大きさを有する。さらに、吸入デバイス（１）用のアセンブリが提供される。アセンブリは、複数の開口部（１０）を有する計量要素（３３）、および開口部（９）を含む粉末チャネル（１６）を含み、開口部（１０）の配置は、各開口部（１０）が異なる量に合わせて粉末チャネルの開口部（９）の中に延びるように、粉末チャネル（１６）の形状に適合される。
2016514553.tif 000002
【特許請求の範囲】
【請求項１】
吸入デバイス（１）用の計量要素（３３）であって、
物質（２）を受けるように構成された複数の開口部（１０）を含み、
ここで、該開口部（１０）の少なくとも１つは、少なくとも１つの他の開口部（１０）と異なる大きさを有し、該開口部（１０）は、吸入の間、物質（２）が該開口部（１０）から異なる流速で流出するように構成される、前記計量要素。
【請求項２】
各開口部（１０）は、他の開口部（１０）と異なる大きさを有する、請求項１に記載の計量要素（３３）。
【請求項３】
開口部（１０）の少なくとも１つは楕円の形状を含む、請求項１または２に記載の計量要素（３３）。
【請求項４】
３つの開口部（１０）を含む、請求項１〜３のいずれか１項に記載の計量要素（３３）。
【請求項５】
開口部（１０）は円形のパターンに配置される、請求項１〜４のいずれか１項に記載の計量要素（３３）。
【請求項６】
ある開口部（１０）の、その隣接する開口部（１０）までの距離は同じである、請求項１〜５のいずれか１項に記載の計量要素（３３）。
【請求項７】
平坦なバーとして構成される、請求項１〜６のいずれか１項に記載の計量要素（３３）。
【請求項８】
吸入デバイス（１）用のアセンブリであって、
請求項１〜７のいずれか１項に記載の計量要素（３３）と、
開口部（９）を含む粉末チャネル（１６）とを含み、
ここで、開口部（１０）の配置は、各開口部（１０）が異なる量に合わせて該粉末チャネル（１６）の該開口部（９）の中に延びるように、粉末チャネル（１６）の形状に適合される、前記アセンブリ。
【請求項９】
物質の全量を含む収納チャンバ（１５）を含み、ここで、計量要素（３３）は、物質（２）の部分量を該収納チャンバ（１５）から輸送するように構成される、請求項８に記載のアセンブリ。
【請求項１０】
計量要素（３３）は、物質（２）の部分量を粉末チャネル（１６）の中に輸送するように構成される、請求項８または９に記載のアセンブリ。
【請求項１１】
開口部（１０）は、計量要素（３３）が収納チャンバ（１５）から最も離れた位置にあるとき、部分的に覆われる、請求項９または１０に記載のアセンブリ。
【請求項１２】
各開口部（１０）は、他の開口部（１０）と異なる大きさを含む、請求項８〜１１のいずれか１項に記載のアセンブリ。
【請求項１３】
開口部（１０）が大きいほど、開口部（１０）は粉末チャネル（１６）の中に大きく延びる、請求項１２に記載のアセンブリ。
【請求項１４】
異なる開口部（１０）から粉末チャネル（１６）内への物質（２）の配置は、時間遅れで生じる、請求項８〜１３のいずれか１項に記載のアセンブリ。
【請求項１５】
異なる開口部（１０）から粉末チャネル（１６）内への物質（２）の配置は、異なる流速で生じる、請求項８〜１４のいずれか１項に記載のアセンブリ。
【発明の詳細な説明】
【技術分野】
【０００１】
本開示は、吸入デバイス用の計量要素（ｍｅｔｅｒｉｎｇ  ｅｌｅｍｅｎｔ）、および計量要素を含む吸入デバイスに関する。
【背景技術】
【０００２】
吸入デバイス用の計量要素が、特許文献１によって知られている。この出願は、使用者の吸い込みの空気流によって起動し、供給チャンバ内に配置された粉状物質を吸入することが可能な計量デバイスに関するものである。
【先行技術文献】
【特許文献】
【０００３】
【特許文献１】ＷＯ２００９／０６５７０７Ａ１
【発明の概要】
【発明が解決しようとする課題】
【０００４】
本発明の目的は、改善された特性を有する吸入デバイス用の計量要素を提供することである。
【課題を解決するための手段】
【０００５】
本開示の一態様によれば、吸入デバイス用の計量要素が提供される。計量要素は、物質を受けるように構成された複数の開口部を含み、開口部の少なくとも１つは、少なくとも１つの他の開口部と異なる大きさを有する。吸入デバイスは、物質を吸入するために用いることができる。物質は、デバイスの収納チャンバの中に収納することができる。開口部は、所定量の物質を受けるように構成することができる。それにより、１回の吸入に必要な物質の量を測定することができる。
【０００６】
異なる大きさに定められた開口部を含む計量要素の利点は、吸入の間、物質が開口部から異なる流速で流出することが可能であることにある。流速は、特定の時間内に開口部から流出する物質の粒子に関係する。さらに、物質は、異なる大きさに定められた開口部では異なる付着性を有することができる。それにより、物質を異なる開口部から吸入デバイスの粉末チャネルまで、時間遅れで（ｔｉｍｅ  ｄｅｌａｙｅｄ）送達することができる。それにより、粉末チャネル内の物質の分布を改善することができる。それにより、使用者によって吸入される物質は、十分な細粒分（ｆｉｎｅ  ｐａｒｔｉｃｌｅ  ｆｒａｃｔｉｏｎ）を含むことができるようになる。それにより、１回の吸入の間に吸入される細粒の用量が増加する。それにより、吸入の効果を改善することができる。
【０００７】
一実施形態によれば、各開口部は、他の開口部と異なる大きさを有することができる。代替的実施形態によれば、各開口部は、他の開口部と同じ大きさを有することができる。計量要素は、少なくとも３つの開口部を含むことができる。たとえば、計量要素は３つの開口部を含む。
【０００８】
一実施形態によれば、開口部の少なくとも１つは、楕円の形状を有することができる。好ましくは、すべての開口部が楕円の形状を有する。代替的実施形態では、開口部の少なくとも１つは、円の形状を有することができる。開口部の形状は、開口部内での物質の付着性に影響を及ぼす可能性がある。
【０００９】
一実施形態によれば、開口部は円形のパターンに配置される。あるいは、開口部は、円形、長方形または菱形のパターンに配置することができる。特に開口部は、デバイスが吸入の準備ができた状態にあるとき、吸入デバイスの粉末チャネルの端部に配置され、部分的に粉末チャネルの中に延びることができる。粉末チャネルは、粉末チャネルのその端部に、物質が計量要素の開口部から粉末チャネルに流入できるような開口部を含むことができる。特に計量要素は、粉末チャネルの端部に当接するか、またはその隣に配置することができる。
【００１０】
一実施形態によれば、ある開口部の、その隣接する開口部までの距離は同じである。特に、各開口部は、その隣接する開口部まで同じ距離を有する。ある開口部の、その隣接する開口部までの距離は、たとえば１ｍｍなど小さくすることができる。特に、ある開口部の、その隣接する開口部までの距離は、計量要素、特に開口部の生産性の理由からできるだけ小さくすることができる。
【００１１】
一実施形態によれば、計量要素は、ある移動方向に動かされるように構成される。このために、計量要素はつまみを含むことができる。つまみは、デバイスの別の要素によって留めることができる。つまみによって、デバイスの別の要素から計量要素へ動きを伝えることができる。計量要素はロッドとして構成することができる。好ましくは、計量要素は平坦なバーとして構成される。計量要素は長方形の断面を有することができる。あるいは、計量要素は円形の断面を有することができる。
【００１２】
計量要素は、軸方向の移動方向に動くように構成することができる。移動方向は、計量要素の長手方向の軸に沿った方向とすることができる。代替的実施形態において、移動方向は、長手方向の軸に対して傾斜した方向とすること、特に計量要素の長手方向の軸に垂直とすることができる。さらに計量要素は、その長手方向の軸に対して回転することができる。物質の用量を送達するために、計量要素を、長手方向の軸に沿ってデバイスの投薬端部に向かって動かすことができる。使用後、計量要素を動かし、デバイスの投薬端部から離すことができる。
【００１３】
好ましくは、計量要素は、物質の全量から物質の部分量（ｓｕｂ−ｑｕａｎｔｉｔｙ）を測定するように構成される。特に計量要素は、開口部を介して物質の部分量を受けることができる。物質は粉末とすることができる。物質は薬剤とすることができる。
【００１４】
好ましい実施形態において、計量要素は複数の計量チャンバを含む。計量チャンバは、計量要素内に設けられた空洞とすることができる。空洞は円錐とすることができる。それにより、物質は計量チャンバの中に容易に流れることができる。好ましくは、開口部は計量チャンバに通じる。計量チャンバは、物質の部分量を配分するように構成することができる。
【００１５】
好ましくは、開口部は、計量要素に長手方向の軸に対して偏心して配置される。それにより、計量チャンバは、計量要素を回転させるとき、物質を集めるシャベルとして働くことができる。計量要素の回転および軸方向運動の際、開口部または計量チャンバは、物質の蓄積の間ずっと螺旋状に動く。特に開口部は、計量要素が軸方向運動と回転運動の組合せを行うとき、螺旋状の曲線に沿って動かすことができる。それにより、計量要素の回転および軸方向運動の際、計量チャンバを物質で適切に充填することができる。
【００１６】
本発明の一態様によれば、吸入デバイス用のアセンブリが提供される。アセンブリは、複数の開口部を含む計量要素を含む。さらに、アセンブリは粉末チャネルを含む。粉末チャネルを介し、空気流によって物質を使用者に投薬することができる。空気流は、使用者が吸入するときに発生させることができる。開口部の配置は、各開口部が異なる量に合わせて粉末チャネルの開口部の中に延びるように、粉末チャネルの形状に適合される。特に開口部は、粉末チャネルのまわりに配置することができる。計量要素は、前述のように構成することができる。
【００１７】
吸入中、物質の部分量は、粉末チャネルを通って流れることができる。好ましくは、粉末チャネル内の物質の流れプロファイル（ｆｌｏｗ  ｐｒｏｆｉｌｅ）は、開口部の形状および配置の影響を受ける。流れプロファイルによって、物質の粒子の速度および経路を説明することができる。さらに、粉末チャネル内の物質の流れプロファイルは、計量チャンバの形状の影響を受ける可能性がある。好ましくは、物質は細粒分を含む。好ましくは、流れプロファイルは、物質の細粒分の組成に影響を及ぼす。
【００１８】
各開口部が異なる量に合わせて粉末チャネルの中に延びる吸入デバイス用のアセンブリの利点は、粉末チャネル内の物質の分布を改善することができることである。特に、物質を、各開口部から異なる流速で粉末チャネルの中に分配することができる。それにより、１回の吸入の間に粉末チャネルの中に分配される物質の多くの量が、粉末チャネルの内壁に沿って競合する（ｓｔｒｉｖｅ）ことができる。それにより、物質の細分化（ｄｅａｇｇｒｅｇａｔｉｏｎ）が行われる。それにより、使用者によって吸入される物質は、十分な細粒分を含むことができるようになる。特に、物質の微粉化された部分が、キャリア材料から分離される。それにより、吸入の医療効果を改善することができる。
【００１９】
一実施形態によれば、アセンブリは収納チャンバを含むことができる。収納チャンバは、ある量の物質を含むように構成される。特に収納チャンバは、物質の複数の部分量に対応する物質の量を含むように構成することができる。
【００２０】
計量要素は、物質の部分量を収納チャンバから輸送するように構成される。特に計量要素は、物質の部分量を収納チャンバから計量チャンバを介して輸送するように構成することができる。特に計量要素は、物質の部分量を粉末チャネルの中に輸送するように構成することができる。
【００２１】
好ましくは、計量要素は、収納チャンバに対して回転し、かつ軸方向に動くように構成される。計量要素は、収納チャンバの内部の第１の位置から収納チャンバの外部の第２の位置まで、軸方向に動くことができる。第１の位置は、デバイスの投薬端部から最も離れた計量要素の近位位置とすることができる。第１の位置において、計量要素は、少なくとも部分的に収納チャンバの中に位置する。特に、少なくとも計量チャンバは、収納チャンバの中に完全に入れられる。第２の位置は、デバイスの投薬端部に最も近い計量要素の遠位位置とすることができる。第２の位置では、計量要素は収納チャンバの外部に位置する。特に計量チャンバは、収納チャンバの外部に位置する。
【００２２】
好ましくは、計量要素は、回転の際に、特に回転および軸方向運動の際に、収納チャンバから物質の部分量を集める。計量要素は、それが収納チャンバ中にあるとき、物質の部分量を集めることができる。好ましくは、計量要素は、軸方向運動の際に、物質の部分量を収納チャンバから輸送する。
【００２３】
一実施形態によれば、計量要素が収納チャンバから最も離れた位置、特にその第２の位置にあるとき、開口部を部分的に覆うことができる。開口部は、粉末チャネルの壁、またはデバイスの別の構成要素によって部分的に覆うことができる。そのため、使用者の吸い込みの空気流によって発生させなければならない吸い込み圧力は、開口部を通して物質を取り出すのに十分なものである必要がある。特に、開口部が広く覆われるほど、開口部を通して物質を取り出すために高い吸い込み圧力が必要になる。
【００２４】
一実施形態によれば、各開口部は、他の開口部と異なる大きさを含む。覆われる開口部の面積は、開口部の大きさに依存する場合がある。特に、開口部が大きいほど、覆われる開口部の面積が大きくなる。特に、覆われる面積は、開口部ごとに異なる場合がある。さらなる実施形態によれば、各開口部は同じ大きさを含む。そうした実施形態では、各開口部の異なる面積が、開口部の大きさと関係なく覆われる。
【００２５】
一実施形態によれば、開口部が大きいほど、開口部は粉末チャネルの中に大きく延びる。特に異なる大きさに定められた開口部を有する計量要素の場合、最大の開口部が粉末チャネルの中に最も大きく延びる。吸入中、最初は、粉末チャネルの中に最も大きく延びる開口部から物質を取り出すことができる。最後には、粉末チャネルの中に最も小さく延びる開口部から物質を取り出すことができる。それにより、異なる開口部から粉末チャネル内への物質の配置（ｄｉｓｐｏｓａｌ）は、時間遅れで生じることが可能になる。一実施形態によれば、異なる開口部からの物質の配置は、同時ではなく順々に生じることができる。それより、粉末チャネル内の物質の分布を改善することができる。
【００２６】
一実施形態によれば、異なる開口部から粉末チャネル内への物質の配置は、異なる流速で生じることができる。特に、開口部が粉末チャネルの中に小さく延びるほど、物質が粉末チャネルに流入する流速は小さくなる。
【００２７】
本開示のさらなる態様によれば、上記の開示されたアセンブリを含む吸入デバイスが提供される。
【００２８】
本明細書で使用する用語「物質」は、たとえば、喘息もしくは慢性閉塞性肺疾患（ＣＯＰＤ）のような閉塞性気道または肺疾患、局所的な気道浮腫、炎症、ウイルス性、細菌性、真菌性または他の感染症、アレルギー、真性糖尿病の処置のための、少なくとも１つの薬学的に活性な化合物を含む医薬製剤を意味する。
【００２９】
活性な医薬化合物は、好ましくは、吸入に適した活性な医薬化合物、好ましくは抗アレルギー薬、抗ヒスタミン薬、抗炎症薬、鎮咳薬、気管支拡張薬、抗コリン作用薬、およびそれらの組合せからなる群から選択される。
【００３０】
活性な医薬化合物は、たとえば、以下から選択することができる：
ヒトインスリンのようなインスリン、たとえば、組換えヒトインスリンもしくはヒトインスリン類似体もしくは誘導体、グリカゴン様ペプチド（ＧＬＰ−１）もしくはその類似体もしくは誘導体、もしくはエキセンジン−３もしくはエキセンジン−４、もしくはエキセンジン−３もしくはエキセンジン−４の類似体もしくは誘導体；
短時間作用型β２アゴニスト（たとえば、サルブタモール、アルブテロール、レボサルブタモール、フェノテロール、テルブタリン、ピルブテロール、プロカテロール、ビトルテロール、リミテロール、カルブテロール、ツロブテロール、レプロテロール）、長時間作用型β２アゴニスト（ＬＡＢＡ、たとえば、アルホルモテロール、バンブテロール、クレンブテロール、ホルモテロール、サルメテロール）、ウルトラＬＡＢＡ（たとえば、インダカテロール）のようなアドレナリン作動薬、もしくは別のアドレナリン作動薬（たとえば、エピネフリン、ヘキソプレナリン、イソプレナリン（イソプロテレノール）、オルシプレナリン（メタプロテレノール））；
グルココルチコイド（たとえば、ベクロメタゾン、ブデソニド、シクレソニド、フルチカゾン、モメタゾン、フルニソリド、ベタメタゾン、トリアムシノロン）；
抗コリン作動薬もしくはムスカリンアンタゴニスト（たとえば、臭化イプラトロピウム、臭化オキシトロピウム、臭化チオトロピウム）；
肥満細胞スタビライザ（たとえば、クロモグリケート、ネドクロミル）；
キサンチン誘導体（たとえば、ドキソフィリン、エンプロフィリン、テオブロミン、テオフィリン、アミノフィリン、コリンテオフィリネート）；
ロイコトリエンアンタゴニスト（たとえば、モンテルカスト、プランルカスト、ザフィルルカスト）のようなエイコサノイド阻害剤、リポキシゲナーゼ阻害剤（たとえば、ジロイトン）、もしくはトロンボキサン受容体アンタゴニスト（たとえば、ラマトロバン、セラトロダスト）；
ホスホジエステラーゼタイプ４阻害剤（たとえば、ロフルミラスト）；
抗ヒスタミン薬（たとえば、ロラタジン、デスロラタジン、セチリジン、レボセチリジン、フェキソフェナジン）；
アレルゲン免疫療法（ａｌｌｅｒｇｅｎ  ｉｍｍｕｎｏｔｈｅｒａｐｙ）（たとえば、オマリズマブ）；
粘液溶解薬（ｍｕｃｏｌｙｔｉｃ）（たとえば、カルボシステイン、エルドステイン、メシステイン）；
抗生物質もしくは抗真菌物質；
または、これまでに言及した化合物種もしくは化合物のいずれか２つ、３つもしくはそれ以上の組合せ（たとえば、ブデソニド／ホルモテロール、フルチカゾン／サルメテロール、臭化イプラトロピウム／サルブタモール、モメタゾン／ホルモテロール）；
または、これまでに挙げた化合物のいずれかの薬学的に許容される塩もしくは溶媒和物もしくはエステル。
【００３１】
薬学的に許容される塩は、たとえば酸付加塩および塩基性塩である。酸付加塩としては、たとえば、塩化物、臭化物、ヨウ化物、硝酸、炭酸、硫酸、硫酸メチル、リン酸、酢酸、安息香酸、ベンゼンスルホン酸、フマル酸、マロン酸、酒石酸、コハク酸、クエン酸、乳酸、グルコン酸、グルタミン酸、エデト酸、メシル酸、パモ酸、パントテン酸またはヒドロキシナフトエ酸の塩がある。塩基性塩は、たとえば、アルカリまたはアルカリ土類、たとえば、Ｎａ＋もしくはＫ＋もしくはＣａ２＋から選択されるカチオン、またはアンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。薬学的に許容されるエステルは、たとえば、酢酸エステル、プロピオン酸エステル、リン酸エステル、コハク酸エステルまたはエタボン酸エステルとすることができる。
【００３２】
薬学的に許容される溶媒和物は、たとえば水和物である。
【００３３】
図と共に例示的な実施形態に関する以下の説明から、さらなる特徴および改良が明らかになる。
【図面の簡単な説明】
【００３４】
【図１】吸入デバイスの概略的な断面図である。
【図２】計量要素を示す図である。
【図３】図２の計量要素の断面図である。
【発明を実施するための形態】
【００３５】
図１は、吸入デバイス１の断面図を示している。吸入デバイス１は、使用者が発生させる吸い込みの空気流によって起動されるように構成される。吸入デバイス１はハウジング３を含む。さらに、吸入デバイス１は外側シリンダ４を含む。外側シリンダ４は、ハウジング３に対して軸方向運動しないように固定される。外側シリンダ４は、ハウジング３に対して回転可能である。
【００３６】
さらに、吸入デバイス１はマウスピース６を含む。マウスピース６を介して、空気が吸入デバイス１の中に吸い込まれる。吸入デバイス１は、キャップ７をさらに含む。キャップ７は、ねじ込みキャップとして構成することができる。キャップ７は、マウスピース６を覆うために用いられる。キャップ７は、吸入デバイス１の長手方向の主軸ｘのまわりで、キャップ７をデバイス１に螺着するためにハウジングに対する第１の方向に、キャップ７をデバイス１から回して取り外すためにハウジング３に対する第２の方向で回転可能にすることができる。外側シリンダ４は、キャップ７に回転連結される。特に外側シリンダ４は、キャップ７のハウジング３に対する回転に追従する。吸入デバイス１の構成要素およびそれらの機械的な協働の詳しい説明については、特にデバイス１の動作に関する限り、参照によってその内容全体が本明細書に明示的に組み込まれている、文書ＷＯ２００９／０６５７０７Ａ１を参照されたい。
【００３７】
デバイス１は、収納チャンバ１５をさらに含む。収納チャンバ１５は、物質２の少なくとも１用量を保持する。特に収納チャンバ１５は、物質２の複数の用量を保持することができる。物質２は薬物を含むことができる。物質２は粉末を含むことができる。
【００３８】
収納チャンバ１５は、チャンバ封止体（ｃｈａｍｂｅｒ  ｓｅａｌｉｎｇ）２４で終わる。特に、収納チャンバ１５のマウスピースの方を向いた側は、チャンバ封止体２４で終わる。デバイス１は、回転部材２５をさらに含む。回転部材２５は、回転方向で固定された形で外側シリンダ４に連結される。それに応じて、回転部材２５は、長手方向の主軸ｘのまわりでの収納チャンバ１５に対する外側シリンダの回転、したがって、キャップ７の回転に追従する。
【００３９】
チャンバシーリング２４は、中央貫通口を含む。回転部材２５の円筒部分２５Ａは、チャンバシーリング２４の中央貫通口を貫通する。
【００４０】
吸入デバイス１は、計量要素３３をさらに含む。計量要素３３は、計量ロッドを含むことができる。計量要素３３は、円形または非円形の断面を有することができる。たとえば、計量要素３３は、長方形の断面を有することができる。
【００４１】
計量要素３３は、長手方向の軸ｍｘを含む。計量要素３３の長手方向の軸ｍｘは、デバイス１の長手方向の主軸ｘに平行である。特に長手方向の軸ｍｘは、デバイス１の長手方向の主軸ｘと一致する。計量要素３３は、収納チャンバ１５に対して軸方向および回転方向で可動である。キャップ７がデバイス１から取り外されているとき、すなわち、デバイス１の動作中、計量要素３３は遠位方向１８に動かされる。遠位方向１８は、デバイスの投薬端部に向かう方向である。キャップ７がデバイス１に再び取り付けられたとき、すなわち、動作が完了した後、計量要素３３は近位方向１９に動かされる。近位方向１９は、デバイスの投薬端部から離れる方向である。計量要素３３は、回転部材２５との機械的な協働によって回転部材２５に回転連結される。それに応じて、計量要素３３は、キャップ７がデバイス１に取り付けられるとき、またはデバイス１から取り外されるとき、長手方向の主軸ｘのまわりのキャップ７の回転運動、したがって、回転部材２５の回転運動に追従する。
【００４２】
計量要素３３は、少なくとも１つの計量チャンバ４０を含む。計量チャンバ４０は、計量要素３３の近位端の近くに位置する。計量要素３３の近位端は、キャップ７がデバイスに取り付けられているとき、収納チャンバ１５の中に位置する端部である。計量要素３３は、計量チャンバ４０が収納チャンバ１５の内部に位置する第１の位置から、計量チャンバ４０が収納チャンバ１５の外部に位置する第２の位置まで計量チャンバ４０を動かすように構成される。計量チャンバ４０は、使用者が行う吸入動作の間に投薬される予定の物質２の部分量１４を測定し、収容するように構成される。特に物質２の部分量１４を、収納チャンバ１５から粉末チャネル１６まで、計量チャンバ４０を介して輸送することができる。物質２の部分量１４を収集するために、各計量チャンバ４０は開口部１０を含む。図２および図３に見られるように、計量チャンバ４０を物質２で適切に充填するために、開口部１０は、計量要素３３の軸ｍｘに対して偏心して配置される。特に計量チャンバ４０は、収納チャンバ１５を通って螺旋状に動き、それによって物質２の部分量１４を集める。
【００４３】
計量要素３３の動作の詳しい説明については、文書ＷＯ２００９／０６５７０７Ａ１を参照されたい。
【００４４】
図２は、図１を参照して説明した吸入デバイス１で用いるように構成された、計量要素３３を示している。計量要素３３は、３つの開口部１０を含む。開口部１０は異なる大きさを有する。
【００４５】
さらに計量要素３３は、つまみ１１を含む。つまみ１１は、保持要素として働く。特に計量要素３３は、つまみ１１によってデバイス内に取り付けられる。さらに計量要素３３は、つまみ１１によって動かすことができる。つまみ１１は、図１に示すように、デバイスの別の要素によって留められる。
【００４６】
図３は、計量要素３３の開口部１０を含む部分の詳細図を示している。さらに、計量要素３３に対する粉末チャネル１６の位置が示される。特に、粉末チャネル１６の壁１７の輪郭が示されている。図３では、計量要素３３は、計量要素３３が収納チャンバ１５から外へ動かされたときの粉末チャネル１６に対する相対位置に示されている。特に、計量要素３３が図３に示す位置にあるときには、物質２の部分量を粉末チャネル１６へ送達することができる。
【００４７】
計量要素の開口部１０は各々、楕円の形状を有する。開口部１０は、粉末チャネル１６の円形の開口部９に沿って配置される。特に開口部１０は、粉末チャネル１６の中に延びる。さらに開口部１０は、たとえば、粉末チャネル１６の壁１７またはデバイスの別の構成要素によって、部分的に覆われる。
【００４８】
計量要素の各開口部１０は、異なる量に合わせて粉末チャネル１６の開口部９の中に延びる。この量は、各開口部１０それぞれの大きさによって決めることができる。特に、開口部１０の大きさが大きいほど、開口部１０は粉末チャネル１６の開口部９の中に大きく延びる。
【００４９】
吸入中、各計量チャンバ４０では、異なる圧力比が生じる。それにより、使用者が吸入すると、物質２は異なる流れ抵抗に逆らって粉末チャネル１６に流入する。特に、粉末チャネル１６の開口部９の中に最も小さく延びる開口部１０が、最も高い流れ抵抗を発生させる。粉末チャネル１６の開口部９の中に最も小さく延びる開口部１０は、最小の開口部１０である。さらに、計量チャンバ４０が小さいほど、計量チャンバ４０の内壁に多くの物質２が付着する。
【００５０】
異なる流れ抵抗により、物質２が各開口部１０から粉末チャネル１６へ時間遅れで送達されるようになる。使用者が吸引すると、最初に、粉末チャネル１６の開口部９の中に最大量にわたって延びる開口部１０、すなわち最大の開口部１０からの物質２が粉末チャネル１６に流入し、最後に、粉末チャネル１６の開口部９の中に最小量にわたって延びる開口部１０、すなわち最小の開口部１０からの物質２が粉末チャネル１６に流入する。それにより、粉末チャネル１６の中に物質２の適切な分布が得られる。物質２は、開口部１０から粉末チャネル１６の中へ、同時ではなく連続的に送達されるため、物質２の多くの量が粉末チャネル１６の内壁に沿って競合することができる。それにより、物質２を細分化することができる。それにより、使用者によって吸入される物質２は、十分な細粒分を含むことができるようになる。特に、物質の微粉化された部分が、キャリア材料から分離される。
【符号の説明】
【００５１】
１  吸入デバイス
２  物質
３  ハウジング
４  外側シリンダ
６  マウスピース
７  キャップ
９  粉末チャネルの開口部
１０  計量要素の開口部
１１  計量要素のつまみ
１４  部分量
１５  収納チャンバ
１６  粉末チャネル
１７  粉末チャネルの壁
１８  遠位方向
１９  近位方向
２４  チャンバシーリング
２５  回転部材
２５Ａ  円筒部分
３３  計量要素
４０  計量チャンバ
ｘ  デバイスの軸
ｍｘ  計量要素の長手方向の軸
【図１】
2016514553.tif 000003
【図２】
2016514553.tif 000004
【図３】
2016514553.tif 000005
【国際調査報告】
2016514553.tif 000006
2016514553.tif 000007
2016514553.tif 000008
2016514553.tif 000009
2016514553.tif 000010